(57)【要約】      （修正有）【課題】偏心マッサージヘッドによる叩き機能を有する回転マッサージ機を提供する。【解決手段】回転マッサージ機は、ギアボックスの上蓋１、ギアボックスの下蓋２、弾性マッサージヘッド３、叩き偏心マッサージヘッド４、連接ロッドピン軸５と叩き連接ロッド６を備える。ギアボックスの上蓋がギアボックスの下蓋にネジとボルトを介して固定接続される。本考案は、構造の設計が合理、操作および使用が便利である。モータが叩き軸を駆動することにより、軸受座が連接ロッドを叩くことに連動して、叩きピン軸は、偏心マッサージヘッドによる叩きマッサージを実施する。モータがウォームを駆動することにより、タービンと出力軸が弾性マッサージヘッドによるマッサージ操作を駆動する。叩き偏心マッサージヘッドと弾性マッサージヘッドとが互いに係合し、構造が簡単であり、マッサージ範囲が拡張され、マッサージストロークが増加され、使用の利便性が向上するため、大きな応用価値が存在する。【選択図】図１
0003216345.tif 000002
【実用新案登録請求の範囲】
【請求項１】
偏心マッサージヘッドによる叩き機能を有する回転マッサージ機であって、
ギアボックスの上蓋（１）と、ギアボックスの下蓋（２）と、弾性マッサージヘッド（３）と、叩き偏心マッサージヘッド（４）と、連接ロッドピン軸（５）と、叩き連接ロッド（６）とを備え、前記ギアボックスの上蓋（１）がギアボックスの下蓋（２）にネジおよびボルトを介して固定接続され、
前記ギアボックスの下蓋（２）の内部に叩き軸（１５）およびモータ（１６）が設けられ、前記叩き軸（１５）の両端にトーション部（１３）が設けられ、前記叩き軸（１５）がトーション部（１３）により第２軸受（２２）を介して軸受座（１４）に接続され、前記軸受座（１４）に叩きピン軸（１９）が設けられ、前記叩き軸（１５）に第１軸受（２１）および大プーリー（１８）がさらに設けられ、前記叩き軸（１５）が第１軸受（２１）を介してギアボックスの下蓋（２）に接続され、前記モータ（１６）の一端の駆動軸に小プーリー（１７）が接続され、前記小プーリー（１７）の内部に単方向軸受（１７２）が設けられ、前記小プーリー（１７）の内部の単方向軸受（１７２）の両端に第３軸受（１７１）が設けられ、前記モータ（１６）の駆動軸が単方向軸受（１７２）と第３軸受（１７１）とに接続され、前記叩き軸（１５）には、小プーリー（１７）にベルトを介して接続される大プーリー（１８）が設けられ、前記モータ（１６）の駆動軸の両端にウォーム（１２）が係合接続され、前記ウォーム（１２）とギアボックスの下蓋（２）に設けられるタービン（１１）とが互いに接続され、前記タービン（１１）の下方にタービン小平歯車（９）が設けられ、前記タービン（１１）がタービン小平歯車（９）を介して、ギアボックスの下蓋（２）に設けられる大平歯車（８）と係合接続され、前記大平歯車（８）の上方に出力軸（７）が接続され、前記出力軸（７）の上方に弾性マッサージヘッド（３）が接続され、
前記ギアボックスの上蓋（１）に連接ロッドピン軸取付溝（２３）が設けられ、前記連接ロッドピン軸取付溝（２３）内に連接ロッドピン軸（５）が取付により設置され、前記連接ロッドピン軸取付溝（２３）の上方には、ネジ穴とスクリューとを介して連接ロッドピン軸蓋（２４）が接続配置され、前記ギアボックスの上蓋（１）が連接ロッドピン軸（５）を介して連接ロッドピン軸取付穴（６２）を経由して叩き連接ロッド（６）に連結され、前記叩き連接ロッド（６）に叩きピン軸取付溝（６１）が設けられ、前記叩きピン軸（１９）が叩きピン軸取付溝（６１）内に設けられ、前記叩き連接ロッド（６）に第１ネジ穴（Ｃ）および第２ネジ穴（Ｄ）が設けられ、前記叩き偏心マッサージヘッド（４）に第１取付穴（Ｂ）および第２取付穴（Ａ）が設けられ、前記叩き連接ロッド（６）が第１ネジ穴（Ｃ）、第２ネジ穴（Ｄ）、第１取付穴（Ｂ）および第２取付穴（Ａ）を介して叩き偏心マッサージヘッド（４）に係合接続されることを特徴とする偏心マッサージヘッドによる叩き機能を有する回転マッサージ機。
【請求項２】
前記叩きピン軸（１９）は、軸受座（１４）に設けられる取付穴に移動可能に接続されることを特徴とする請求項１に記載の偏心マッサージヘッドによる叩き機能を有する回転マッサージ機。
【請求項３】
前記弾性マッサージヘッド（３）は、取付穴が設けられ、取付穴を介して出力軸（７）に固定接続されることを特徴とする請求項１に記載の偏心マッサージヘッドによる叩き機能を有する回転マッサージ機。
【請求項４】
前記叩き偏心マッサージヘッド（４）のマッサージヘッドの中線が、第１取付穴（Ｂ）と第２取付穴（Ａ）との両穴の中線に対してＮ距離オフセットし、Ｒ取付方式が採用されたときに、２つの叩き偏心マッサージヘッド（４）の間の距離がＭ-２Ｎのピッチであり、Ｌ取付方式が採用されたときに、２つの叩き偏心マッサージヘッド（４）の間の距離がＭ+２Ｎのピッチであることを特徴とする請求項１に記載の偏心マッサージヘッドによる叩き機能を有する回転マッサージ機。
【考案の詳細な説明】
【技術分野】
【０００１】
本考案は、マッサージ機構に関し、具体的に、構造が簡単、使用が便利であり、揉み・叩き機能を有するとともに、人体マッサージの快適性を向上させる偏心マッサージヘッドによる叩き機能を有する回転マッサージ機に関する。
【背景技術】
【０００２】
マッサージチェアまたは足治療器等の機器に弾性マッサージヘッドが設けられることは、一般的である。従来の弾性マッサージヘッドは、構造が複雑であり、殆どが発熱機能を有さない一方、蓄電機能を有さず、電気コードで交流電をリンクして電力を供給するため、使用が非常に不便である。このタイプでは、現在市販されているものがいずれも回転マッサージであり、叩き機能が付加されていない。
【考案の概要】
【考案が解決しようとする課題】
【０００３】
本考案が解決しようとする技術課題は、構造が簡単、操作が便利であり、偏心マッサージヘッドによる叩き機能を有する回転マッサージ機を提供することにある。
【課題を解決するための手段】
【０００４】
上記課題を解決すべく、本考案は、下記の解決手段を講じる。  
本考案は、偏心マッサージヘッドによる叩き機能を有する回転マッサージ機を提供する。それは、ギアボックスの上蓋と、ギアボックスの下蓋と、弾性マッサージヘッドと、叩き偏心マッサージヘッドと、連接ロッドピン軸と、叩き連接ロッドとを備える。前記ギアボックスの上蓋がギアボックスの下蓋にネジおよびボルトを介して固定接続される。
【０００５】
前記ギアボックスの下蓋の内部に叩き軸およびモータが設けられ、前記叩き軸の両端にトーション部が設けられ、前記叩き軸がトーション部により第２軸受を介して軸受座に接続され、前記軸受座に叩きピン軸が設けられ、前記叩き軸に第１軸受および大プーリーがさらに設けられ、前記叩き軸が第１軸受を介してギアボックスの下蓋に接続され、前記モータの一端の駆動軸に小プーリーが接続され、前記小プーリーの内部に単方向軸受が設けられ、前記小プーリーの内部の単方向軸受の両端に第３軸受が設けられ、前記モータの駆動軸が単方向軸受と第３軸受とに接続され、前記叩き軸には、小プーリーにベルトを介して接続される大プーリーが設けられ、前記モータの駆動軸の両端にウォームが係合接続され、前記ウォームとギアボックスの下蓋に設けられるタービンとが互いに接続され、前記タービンの下方にタービン小平歯車が設けられ、前記タービンがタービン小平歯車を介して、ギアボックスの下蓋に設けられる大平歯車と係合接続され、前記大平歯車の上方に出力軸が接続され、前記出力軸の上方に弾性マッサージヘッドが接続される。
【０００６】
前記ギアボックスの上蓋に連接ロッドピン軸取付溝が設けられ、前記連接ロッドピン軸取付溝内に連接ロッドピン軸が取付により設置され、前記連接ロッドピン軸取付溝の上方には、ネジ穴とスクリューとを介して連接ロッドピン軸蓋が接続配置され、前記ギアボックスの上蓋が連接ロッドピン軸を介して連接ロッドピン軸取付穴を経由して叩き連接ロッドに連結され、前記叩き連接ロッドに叩きピン軸取付溝が設けられ、前記叩きピン軸が叩きピン軸取付溝内に設けられ、前記叩き連接ロッドに第１ネジ穴および第２ネジ穴が設けられ、前記叩き偏心マッサージヘッドに第１取付穴および第２取付穴が設けられ、前記叩き連接ロッドが第１ネジ穴、第２ネジ穴、第１取付穴および第２取付穴を介して叩き偏心マッサージヘッドに係合接続される。
【０００７】
好ましくは、前記叩きピン軸は、軸受座に設けられる取付穴に移動可能に接続される。
【０００８】
好ましくは、前記弾性マッサージヘッドは、取付穴が設けられ、取付穴を介して出力軸に固定接続される。
【０００９】
好ましくは、前記叩き偏心マッサージヘッドの中線が、第１取付穴と第２取付穴との両穴の中線に対してＮ距離オフセットし、Ｒ取付方式が採用されたときに、２つの叩き偏心マッサージヘッドの間の距離がＭ-２Ｎのピッチであり、Ｌ取付方式が採用されたときに、２つの叩き偏心マッサージヘッドの間の距離がＭ+２Ｎのピッチである。
【考案の効果】
【００１０】
本考案は、構造の設計が合理、操作や使用が便利である。モータが叩き軸を駆動することにより、軸受座が連接ロッドを叩くことに連動して、叩きピン軸は、偏心マッサージヘッドによる叩きマッサージを実施する。モータがウォームを駆動することにより、タービンと出力軸が弾性マッサージヘッドによるマッサージ操作を駆動する。叩き偏心マッサージヘッドと弾性マッサージヘッドとが互いに係合し、構造が簡単であり、マッサージ範囲が拡張され、マッサージストロークが増加され、使用の利便性が向上するため、大きな応用価値が存在する。
【００１１】
本考案の実施例または従来技術における技術案を明瞭に説明するように、実施例または従来技術の記述に使用される図面を以下で簡単に紹介する。明らかに、下記で記述される図面が本考案の幾つかの実施例のみに係り、当業者であれば、進歩性に値する労働をせずに、これらの図面から他の図面を得ることができる。
【図面の簡単な説明】
【００１２】
【図１】本考案の構造の模式図である。
【図２】本考案の叩き偏心マッサージヘッドおよび弾性マッサージヘッドを機体から取り外す模式図である。
【図３】本考案のギアボックスの下蓋の内部構造の模式図である。
【図４】本考案の叩き軸が軸受座に接続される構造の模式図である。
【図５】本考案のモータがボルトに接続される模式図である。
【図６】本考案のギアボックスの上蓋および叩き偏心マッサージヘッドの取り外しの模式図である。
【図７】本考案の小プーリーの構造の模式図である。
【図８】本考案の小プーリーを分解した分解図である。
【図９】本考案の叩き偏心マッサージヘッドと叩き連接ロッドとのＲ取付方式の模式図である。
【図１０】本考案の叩き偏心マッサージヘッドと叩き連接ロッドとのＬ取付方式の模式図である。
【考案を実施するための形態】
【００１３】
本考案のメリット及び特徴がより易く当業者に理解されるように、本考案の好適な実施例について図面を参照しながら詳細に説明する。これにより、本考案の保護範囲がより明確に特定できる。
【００１４】
図１-１０に示すように、偏心マッサージヘッドによる叩き機能を有する回転マッサージ機は、ギアボックスの上蓋１、ギアボックスの下蓋２、弾性マッサージヘッド３、叩き偏心マッサージヘッド４、連接ロッドピン軸５および叩き連接ロッド６を備え、前記ギアボックスの上蓋１がギアボックスの下蓋２にネジおよびボルトを介して固定接続される。
【００１５】
前記ギアボックスの下蓋２の内部に叩き軸１５およびモータ１６が設けられる。前記叩き軸１５の両端にトーション部１３が設けられる。前記叩き軸１５がトーション部１３により第２軸受２２を介して軸受座１４に接続される。前記軸受座１４に叩きピン軸１９が設けられ、前記叩き軸１５に第１軸受２１および大プーリー１８がさらに設けられる。前記叩き軸１５が第１軸受２１を介してギアボックスの下蓋２に接続され、前記モータ１６の一端の駆動軸に小プーリー１７が接続され、前記小プーリー１７の内部に単方向軸受１７２が設けられる。前記小プーリー１７の内部の単方向軸受１７２の両端に第３軸受１７１が設けられ、前記モータ１６の駆動軸が単方向軸受１７２と第３軸受１７１とに接続される。前記叩き軸１５には、小プーリー１７にベルトを介して接続される大プーリー１８が設けられる。前記モータ１６の駆動軸の両端にウォーム１２が係合接続され、前記ウォーム１２とギアボックスの下蓋２に設けられるタービン１１とが互いに接続され、前記タービン１１の下方にタービン小平歯車９が設けられ、前記タービン１１がタービン小平歯車９を介して、ギアボックスの下蓋２に設けられる大平歯車８と係合接続される。前記大平歯車８の上方に出力軸７が接続され、前記出力軸７の上方に弾性マッサージヘッド３が接続される。
【００１６】
前記ギアボックスの上蓋１に連接ロッドピン軸取付溝２３が設けられる。前記連接ロッドピン軸取付溝２３内に連接ロッドピン軸５が取付により設置される。前記連接ロッドピン軸取付溝２３の上方には、ネジ穴とスクリューとを介して連接ロッドピン軸蓋２４が接続配置される。前記ギアボックスの上蓋１が連接ロッドピン軸５を介して連接ロッドピン軸取付穴６２を経由して叩き連接ロッド６に連結される。前記叩き連接ロッド６に叩きピン軸取付溝６１が設けられる。前記叩きピン軸１９が叩きピン軸取付溝６１内に設けられる。前記叩き連接ロッド６に第１ネジ穴Ｃおよび第２ネジ穴Ｄが設けられる。前記叩き偏心マッサージヘッド４に第１取付穴Ｂおよび第２取付穴Ａが設けられる。前記叩き連接ロッド６が第１ネジ穴Ｃ、第２ネジ穴Ｄ、第１取付穴Ｂおよび第２取付穴Ａを介して叩き偏心マッサージヘッド４に係合接続される。叩き偏心マッサージヘッド４のマッサージヘッドの中線が、Ａ、Ｂの両穴の中線に対してＮ距離オフセットする。Ｒ取付方式が採用されたときに、２つのマッサージヘッドの間の距離がＭ-２Ｎのピッチであり、Ｌ取付方式が採用されたときに、２つの叩き偏心マッサージヘッドの間の距離がＭ+２Ｎのピッチである。これにより、マッサージヘッドによる叩き距離範囲が調整可能であり、利用者の体感の快適性が向上する。
【００１７】
注意すべきことは、前記叩きピン軸１９は、軸受座１４に設けられる取付穴に移動可能に接続される。
注意すべきことは、前記弾性マッサージヘッド３は、取付穴が設けられ、取付穴を介して出力軸７に固定接続される。
【００１８】
注意すべきことは、前記叩き偏心マッサージヘッド４のマッサージヘッドの中線が、第１取付穴Ｂと第２取付穴Ａとの両穴の中線に対してＮ距離オフセットする。Ｒ取付方式が採用されたときに、２つの叩き偏心マッサージヘッド４の間の距離がＭ-２Ｎのピッチであり、Ｌ取付方式が採用されたときに、２つの叩き偏心マッサージヘッド４の間の距離がＭ+２Ｎのピッチである。
【００１９】
本考案では、モータが運転しているとき、ウォーム、タービンおよび平歯車により弾性マッサージヘッドの円周運動を駆動することで、揉みのマッサージ効果を奏する。モータが運転しているとき、小プーリー、ベルトおよび大プーリーにより叩き軸の回転を駆動することで、軸受座の偏心回転を連動させる。叩きピン軸と連接ロッドピン軸とは、叩き連接ロッドが連接ロッドピン軸周りに上下往復運動することを連動させることにより、叩き偏心マッサージヘッドを駆動し、叩きマッサージの効果を奏する。
【００２０】
小プーリーは、内部に配置された２つの第３軸受および１つの単方向軸受を介してモータ出力軸に取り付けられる。単方向軸受を設置するだけで、モータが時計回りに回動することを実施可能である。単方向軸受の作用により、小プーリーが回動しない。機は、２つの弾性マッサージヘッド、回転マッサージのみを有し、単独の揉みマッサージの効果を有する。モータが逆時計回りに回動しているとき、単方向軸受の作用により、小プーリーがモータ出力軸とともに回動し、ベルトを介して大プーリーの回動を連動させる。こうして、叩き偏心マッサージヘッドによる叩きマッサージを駆動する。それは、揉みのマッサージ効果を有しつつ、叩きのマッサージ効果を有する。
【００２１】
本考案で使用される標準部品が何れも市場から購入され得る。特別な部品が明細書及び図面の記載に基づいてオーダーメード可能である。各部品の具体的な接続方式が何れも従来技術における円熟なボルト、リベット、半田付け等の常套な手段を採用し、機械、部品及び機器が何れも従来技術における常規の型番を採用し、回路接続も従来技術における常規の接続方式を採用するため、ここで繰り返し説明しない。
【００２２】
以上で本考案の基本的な原理、主な特徴及び本考案のメリットが記述されている。当業者であれば分かるように、本考案が上記実施例に制限されず、上記実施例および明細書の記述が単に本考案の原理を説明する。本考案の精神及び範囲を逸脱しない限り、本考案には、各種の変化や改良もあり得る。これらの変化や改良も本考案の保護請求する範囲内に含まれる。本考案が保護請求する範囲は、添付する実用新案登録の範囲およびその等価物によって特定される。
【図１】
0003216345.tif 000003
【図２】
0003216345.tif 000004
【図３】
0003216345.tif 000005
【図４】
0003216345.tif 000006
【図５】
0003216345.tif 000007
【図６】
0003216345.tif 000008
【図７】
0003216345.tif 000009
【図８】
0003216345.tif 000010
【図９】
0003216345.tif 000011
【図１０】
0003216345.tif 000012
【手続補正書】
【提出日】平成30年3月20日(2018.3.20)
【手続補正１】
【補正対象書類名】実用新案登録請求の範囲
【補正対象項目名】請求項４
【補正方法】変更
【補正の内容】
【請求項４】
前記叩き偏心マッサージヘッド（４）のマッサージヘッドの中線が、第１取付穴（Ｂ）と第２取付穴（Ａ）との両穴の中線に対して所定距離（Ｎ）だけオフセットし、前記叩き連接ロッド（６）に対して前記叩き偏心マッサージヘッド（４）が前記第１ネジ穴（Ｃ）、前記第２ネジ穴（Ｄ）に前記第２取付穴（Ａ）、前記第１取付穴（Ｂ）がそれぞれ係合されて接続されたときに、２つの叩き偏心マッサージヘッド（４）の一方の前記第１、第２取付穴（Ｂ）、（Ａ）の中線と他方の前記第１、第２取付穴（Ｂ）、（Ａ）の中線との間の距離をＭとしたとき、前記２つの叩き偏心マッサージヘッド（４）の中線間の距離がＭ−２・Ｎであり、前記叩き連接ロッド（６）に対して前記叩き偏心マッサージヘッド（４）が前記第１ネジ穴（Ｃ）、前記第２ネジ穴（Ｄ）に前記第１取付穴（Ｂ）、前記第２取付穴（Ａ）がそれぞれ係合されて接続されたときに、２つの叩き偏心マッサージヘッド（４）の中線間の距離がＭ＋２・Ｎであることを特徴とする請求項１に記載の偏心マッサージヘッドによる叩き機能を有する回転マッサージ機。